【手続補正書】
【提出日】平成23年2月25日(2011.2.25)
【手続補正１】
【補正対象書類名】特許請求の範囲
【補正対象項目名】全文
【補正方法】変更
【補正の内容】
【特許請求の範囲】
【請求項１】
ネットワークを介して複数の画像処理装置と通信可能な画像供給装置であって、
前記複数の画像処理装置のいずれか１つに処理させるべき画像データが特定の画像データであるかどうかを判定する判定手段と、
前記判定手段によって前記画像データが前記特定の画像データであると判定された場合に、前記特定の画像データの処理のために必要なセキュリティ条件を決定する決定手段と、
前記処理を実行する機能を有し、かつ前記決定手段によって決定されたセキュリティ条件を満たす画像処理装置を、前記ネットワークに接続された前記複数の画像処理装置から検索する検索手段と、
前記検索手段によって検索された画像処理装置を、ユーザが選択可能に表示する表示手段と、
前記表示手段に表示され、前記ユーザによって選択された画像処理装置に前記特定の画像データを送信する送信手段と、
を有することを特徴とする画像供給装置。
【請求項２】
前記画像処理装置が前記特定の画像データに対して実行する処理と、当該処理に必要な前記セキュリティ条件との関係を示すテーブルを記憶する記憶手段を更に有し、
前記決定手段は、前記処理及び前記記憶手段に記憶されたテーブルに基づいて前記セキュリティ条件を決定することを特徴とする請求項１に記載の画像供給装置。
【請求項３】
前記検索手段は、前記判定手段によって前記画像データが前記特定の画像データではないと判定された場合に、前記画像データの処理を実行する機能を有する画像処理装置を、前記複数の画像処理装置から検索することを特徴とする請求項１に記載の画像供給装置。
【請求項４】
前記表示手段は、前記検索手段が前記処理を実行する機能を有し、かつ前記決定手段によって決定されたセキュリティ条件を満たす画像処理装置を検索できなかった場合に、その旨を表示することを特徴とする請求項１に記載の画像供給装置。
【請求項５】
ネットワークを介して複数の画像処理装置と通信可能な画像供給装置の制御方法であって、
判定手段が、前記複数の画像処理装置のいずれか１つに処理させるべき画像データが特定の画像データであるかどうかを判定する判定ステップと、
決定手段が、前記判定ステップで前記画像データが前記特定の画像データであると判定された場合に、前記特定の画像データの処理のために必要なセキュリティ条件を決定する決定ステップと、
検索手段が、前記処理を実行する機能を有し、かつ前記決定ステップで決定されたセキュリティ条件を満たす画像処理装置を、前記ネットワークに接続された前記複数の画像処理装置から検索する検索ステップと、
表示手段が、前記検索ステップで検索された画像処理装置を、ユーザが選択可能に表示する表示ステップと、
送信手段が、前記表示ステップで表示され、前記ユーザによって選択された画像処理装置に前記特定の画像データを送信する送信ステップと、
を有することを特徴とする制御方法。
【請求項６】
ネットワークを介して複数の画像処理装置と通信可能な画像供給装置の制御方法であって、
検索手段が、ユーザの要求する処理を実行する機能を有する画像処理装置を、前記複数の画像処理装置から検索する検索ステップと、
第１の決定手段が、前記検索ステップで検索された画像処理装置から前記ユーザの要求する処理を実行する画像処理装置を決定する第１の決定ステップと、
第１の判定手段が、画像データが特定の画像データであるかどうかを判定する第１の判定ステップと、
第２の決定手段が、前記第１の判定ステップで前記画像データが前記特定の画像データであると判定された場合に、前記特定の画像データの処理のために必要なセキュリティ条件を決定する第２の決定ステップと、
第２の判定手段が、前記第１の決定ステップで決定された画像処理装置が前記第２の決定ステップで決定されたセキュリティ条件を満たすかどうかを判定する第２の判定ステップと、
送信手段が、前記第２の判定ステップにおいて、前記第１の決定ステップで決定された画像処理装置が前記第２の決定ステップで決定されたセキュリティ条件を満たすと判定された場合に、前記第１の決定ステップで決定された画像処理装置に前記特定の画像データを送信する送信ステップと、
を有することを特徴とする制御方法。
【請求項７】
前記第２の判定ステップにおいて、表示手段が、前記第１の決定ステップで決定された画像処理装置が前記第２の決定ステップで決定されたセキュリティ条件を満たさないと判定された場合に、その旨を表示する表示ステップを有することを特徴とする請求項６に記載の制御方法。
【請求項８】
前記第２の判定ステップにおいて、前記第１の決定ステップで決定された画像処理装置が前記第２の決定ステップで決定されたセキュリティ条件を満たさないと判定された場合に、前記検索手段が、前記第２の決定ステップで決定されたセキュリティ条件を満たす画像処理装置を、前記複数の画像処理装置から再検索する再検索ステップを有することを特徴とする請求項６に記載の制御方法。
【請求項９】
ネットワークを介して複数の画像処理装置と通信可能な画像供給装置で実行する画像供給装置の制御方法をコンピュータに実行させるプログラムであって、
前記コンピュータに、
前記複数の画像処理装置のいずれか１つに処理させるべき画像データが特定の画像データであるかどうかを判定する判定ステップと、
前記判定ステップで前記画像データが前記特定の画像データであると判定された場合に、前記特定の画像データの処理のために必要なセキュリティ条件を決定する決定ステップと、
前記処理を実行する機能を有し、かつ前記決定ステップで決定されたセキュリティ条件を満たす画像処理装置を、前記ネットワークに接続された前記複数の画像処理装置から検索する検索ステップと、
前記検索ステップで検索された画像処理装置を、ユーザが選択可能に表示する表示ステップと、
前記表示ステップで表示され、前記ユーザによって選択された画像処理装置に前記特定の画像データを送信する送信ステップと、
を実行させることを特徴とするプログラム。
【請求項１０】
ネットワークを介して複数の画像処理装置と通信可能な画像供給装置で実行する画像供給装置の制御方法をコンピュータに実行させるプログラムであって、
前記コンピュータに、
ユーザの要求する処理を実行する機能を有する画像処理装置を、前記複数の画像処理装置から検索する検索ステップと、
前記検索ステップで検索された画像処理装置から前記ユーザの要求する処理を実行する画像処理装置を決定する第１の決定ステップと、
画像データが特定の画像データであるかどうかを判定する第１の判定ステップと、
前記第１の判定ステップで前記画像データが前記特定の画像データであると判定された場合に、前記特定の画像データの処理のために必要なセキュリティ条件を決定する第２の決定ステップと、
前記第１の決定ステップで決定された画像処理装置が前記第２の決定ステップで決定されたセキュリティ条件を満たすかどうかを判定する第２の判定ステップと、
前記第２の判定ステップにおいて、前記第１の決定ステップで決定された画像処理装置が前記第２の決定ステップで決定されたセキュリティ条件を満たすと判定された場合に、前記第１の決定ステップで決定された画像処理装置に前記特定の画像データを送信する送信ステップと、
を実行させることを特徴とするプログラム。
【手続補正２】
【補正対象書類名】明細書
【補正対象項目名】発明の名称
【補正方法】変更
【補正の内容】
【発明の名称】画像供給装置、画像供給装置の制御方法及びプログラム
【手続補正３】
【補正対象書類名】明細書
【補正対象項目名】０００１
【補正方法】変更
【補正の内容】
【０００１】
本発明は、画像供給装置、画像供給装置の制御方法及びプログラムに関する。
【手続補正４】
【補正対象書類名】明細書
【補正対象項目名】００１９
【補正方法】変更
【補正の内容】
【００１９】
上記目的を達成するために、本発明の一側面としての画像供給装置は、ネットワークを介して複数の画像処理装置と通信可能な画像供給装置であって、前記複数の画像処理装置のいずれか１つに処理させるべき画像データが特定の画像データであるかどうかを判定する判定手段と、前記判定手段によって前記画像データが前記特定の画像データであると判定された場合に、前記特定の画像データの処理のために必要なセキュリティ条件を決定する決定手段と、前記処理を実行する機能を有し、かつ前記決定手段によって決定されたセキュリティ条件を満たす画像処理装置を、前記ネットワークに接続された前記複数の画像処理装置から検索する検索手段と、前記検索手段によって検索された画像処理装置を、ユーザが選択可能に表示する表示手段と、前記表示手段に表示され、前記ユーザによって選択された画像処理装置に前記特定の画像データを送信する送信手段と、を有することを特徴とする。
【手続補正５】
【補正対象書類名】明細書
【補正対象項目名】００２０
【補正方法】削除
【補正の内容】
【手続補正６】
【補正対象書類名】明細書
【補正対象項目名】００２１
【補正方法】削除
【補正の内容】
【手続補正７】
【補正対象書類名】明細書
【補正対象項目名】００２２
【補正方法】削除
【補正の内容】
【手続補正８】
【補正対象書類名】明細書
【補正対象項目名】００２３
【補正方法】削除
【補正の内容】
【手続補正９】
【補正対象書類名】明細書
【補正対象項目名】００２４
【補正方法】削除
【補正の内容】
【手続補正１０】
【補正対象書類名】明細書
【補正対象項目名】００２５
【補正方法】削除
【補正の内容】